(57)【特許請求の範囲】
【請求項１】
リング状の綴じ具を用いて綴じ込まれた冊子の表紙に着脱自在に装着される冊子カバーであって、
一又は複数の前記表紙のそれぞれに装着するための固定片を有する表紙用カバーと、
前記表紙用カバーの一側端から延出し、当該表紙用カバーを前記冊子に装着したときに綴じ具の内側に位置するように形成された舌片と、を備える
冊子カバー。
【請求項２】
請求項１に記載の冊子カバーであって、
前記舌片は、前記表紙用カバーの一側端から延出する延出部と、当該延出部に連設され、当該延出部の延出方向とは異なる方向に屈曲するように延出する屈曲部とを有し、
前記屈曲部は、前記表紙用カバーを前記冊子に装着したときに綴じ具の内側に位置し、前記冊子カバーを冊子から取り外す方向に移動させようとしたとき、前記綴じ具に当接して当該移動を阻害する
冊子カバー。
【請求項３】
請求項２に記載の冊子カバーであって、
前記舌片は可撓性を有する
冊子カバー。
【請求項４】
請求項１から３の何れか１項に記載の冊子カバーが装着された冊子。
【発明の詳細な説明】
【技術分野】
【０００１】
本発明は、リング状の綴じ具を用いて綴じ込まれた冊子に対し、その表紙に装着してこれを保護するための冊子カバー、及び冊子カバーが装着された冊子に関する。
【背景技術】
【０００２】
冊子の表紙に装着し、冊子を使用することにより当該冊子の表紙が汚損するのを防ぐための冊子カバーが多数提案されている。
【０００３】
例えば、特許文献１には、一枚のシートを折り返して袋部を形成し、当該袋部に冊子の第一表紙と第二表紙とをそれぞれ挿入して、第一表紙と第二表紙とをともに覆う一体の冊子カバーが示されている。
【０００４】
また、特許文献２には、第一表紙と第二表紙とについてそれぞれ分離した第一表紙用カバーと第二表紙用カバーとを有し、第一表紙用カバーと第二表紙用カバーとはそれぞれの一側端同士が紐でつながれており、当該紐で繋がれた箇所は各表紙用カバーをそれぞれの表紙に装着した状態において冊子の背面に近接し、冊子の厚さに応じて紐をゆるめたり締めたりして調整する冊子カバーが示されている。
【先行技術文献】
【特許文献】
【０００５】
【特許文献１】実開昭５８−１４７７７３号公報
【特許文献２】実開昭５９−１２６６６６号公報
【発明の概要】
【発明が解決しようとする課題】
【０００６】
ところで、リング状の綴じ具を用いて綴じ込まれた冊子は、例えば、一本の針金などの線材を折り曲げてコイルやバネのような連続輪体を形成したスパイラルリングや、連続輪体を二重に形成したダブルリングと呼ばれるリング状の綴じ具を有する。このような冊子は、表紙とその間に挟まれる用紙とのそれぞれの一側端に開設された綴じ穴に連続輪体を挿通して形成される。用紙のページを捲るには、綴じ穴が連続輪体の内周に沿って回動すればよく、表紙や用紙を折り曲げたりこれらをのばしたりする行程が不要である。そのため、表紙や用紙の夫々隣り合うページとの間の角度を１８０度にしたり３６０度にしたりする見開きが容易であり、このような使われ方が頻繁にされるものである。
【０００７】
特許文献１に記載の冊子カバーは、前述のように第一表紙を覆う部位と第二表紙を覆う部位とが一体に形成された冊子カバーである。従って、仮にこの冊子カバーをリング状の綴じ具を用いて綴じ込まれた冊子に装着すると、表紙と冊子カバーとの間の摩擦力によって装着状態が維持され、リング状の綴じ具が冊子カバーに覆われる。
【０００８】
この状態で表紙を３６０度捲ると、冊子カバーは冊子を閉じる方向とは逆方向に折り曲げられる。この際、冊子カバーの第一表紙を覆う部位と第二表紙を覆う部位との境界に一本の線状の折り目が自然に発生するとは限らない。そのため、冊子カバーの第一表紙を覆う部位と第二表紙を覆う部位との境界に複数の折り目による皺が発生することで、皺同士が重合したり、皺がリング状の綴じ具に当接したりするため、折り曲げにくい上に見栄えが悪い。
【０００９】
また、冊子カバーの材質の硬さによっては、折り曲げる力に対する反発力が、表紙を３
６０度捲った状態から１８０度の状態、すなわち冊子カバーを折り曲げない状態に回復させるようにはたらいたり、冊子カバーが表紙から離脱するようにはたらいたりすることが考えられる。
【００１０】
なお、冊子カバーの第一表紙を覆う部位と第二表紙を覆う部位とを分離することも考えられる。両者を分離すれば、冊子カバーの第一表紙を覆う部位と第二表紙を覆う部位との境界がそもそも存在せず、折り目や皺が発生することもない。また、折り曲げる力に対する反発力が作用することもない。しかしながら、特許文献１に記載の冊子カバーは、冊子カバーの第一表紙を覆う部位と第二表紙を覆う部位とが一体に形成されることで、冊子の表紙との固定状態が維持される。換言すると、冊子カバーの第一表紙を覆う部位と第二表紙を覆う部位とを分離すると、冊子の表紙との固定状態を十分に維持することができず、冊子カバーが表紙から離脱することが考えられる。
【００１１】
他方、特許文献１に記載の冊子カバーを冊子に装着した場合には、冊子の状態によっては、冊子が落下して冊子カバーから離脱するという問題がある。具体的には、特許文献１に記載の冊子カバーを冊子に装着した状態で冊子を閉じたとき、冊子カバーのみを持って袋部の開口部を重力方向に向けたとしても、冊子が落下しようとすることで冊子カバーの第一表紙を覆う部位と第二表紙を覆う部位とを接続する部位と冊子の背面部に位置するリング状の綴じ具とが当接している。よって、冊子が落下することは無い。しかしながら、例えば、冊子を閉じた状態から、第一表紙もしくは第二表紙を３６０度捲ったり、第一表紙と第二表紙とをともに１８０度捲ったりして、第一表紙と第二表紙とが冊子カバーを介して重なった状態で冊子カバーのみを持って袋部の開口部を重力方向に向けると、冊子が落下しようとすることで冊子と冊子カバーとが当接するような箇所が無い。そのため、冊子の質量と重力加速度とにより発生する力が表紙と冊子カバーとの間の摩擦力を上回る場合に冊子が落下して冊子カバーから離脱するという問題が考えられる。
【００１２】
特許文献２に記載の冊子カバーでも、特許文献１に記載の冊子カバーと同様に、冊子カバーのみを持って袋部の開口部を重力方向に向けると、冊子の質量と重力加速度とにより発生する力が表紙と冊子カバーとの間の摩擦力を上回る場合に冊子が落下して冊子カバーから離脱するという問題が考えられる。
【００１３】
本発明はこのような点に鑑みてなされたものであり、冊子カバーの折り曲げに対する反発力が発生することや、重力などにより冊子が冊子カバーから離脱することを抑制する技術を提供することを課題とする。
【課題を解決するための手段】
【００１４】
本発明は、前記課題を解決するために、以下の手段を採用した。
【００１５】
本発明は、リング状の綴じ具を用いて綴じ込まれた冊子の表紙に着脱自在に装着される冊子カバーであって、一又は複数の前記表紙のそれぞれに装着される表紙用カバーと、前記表紙用カバーの一側端から延出し、当該表紙用カバーを前記冊子に装着したときに綴じ具の内側に位置するように形成された舌片と、を備える。
【００１６】
本発明の冊子カバーでは、表紙用カバーが、一又は複数の表紙のそれぞれに装着される。換言すると、表紙が複数からなる場合でも、表紙用カバーは互いに分離している。従って、冊子カバーと他の冊子カバーとの境界がそもそも存在せず、折り目や皺が発生することもない。また、折り曲げる力に対する反発力が発生することもない。また、本発明の冊子カバーでは、舌片が表紙用カバーを冊子に装着したときに綴じ具の内側に位置し、冊子カバーが表紙から離脱するのを抑制する。また、本発明の冊子カバーは、表紙が汚損するのを抑制することができる。更に、本発明の冊子カバーは、冊子カバーが装着された冊子
の表紙や用紙をリング状の綴じ具の内周に沿って容易に回転させることができる。
【００１７】
表紙用カバーは、冊子の表紙に装着して当該冊子を閉じた状態において外側に位置する外側カバー片と、前記外側カバー片に接合され、前記外側カバー片と前記表紙とを当接させて固定するための固定片とを有する構成としてもよい。これにより、外側カバー片と前記表紙とを当接させて固定することができる。なお、前記外側カバー片と前記固定片とは袋体を形成し、当該袋体の開口部から前記表紙を挿入するように形成されてもよい。
【００１８】
さらに、表紙用カバーは、冊子の第一表紙と第二表紙とにそれぞれ装着する第一表紙用カバーと第二表紙用カバーとからなる構成としてもよい。
【００１９】
これにより、表紙用カバーを冊子の表紙に装着して当該冊子を閉じたとき、冊子カバーとリング状の綴じ具とは当接しない。そのため、冊子カバーの形状は、冊子の厚さの違いやこれに伴うリング状の綴じ具の大きさによる影響を受けることもない。
【００２０】
さらに、本発明の冊子カバーは、閉じた状態から、第一表紙もしくは第二表紙を３６０度捲ったり、第一表紙と第二表紙とをともに１８０度捲ったりして、前記第一表紙と前記第二表紙とが冊子カバーを介して重なるように位置させることができる。このような状態でも、前記冊子カバーとリング状の綴じ具とは当接しない上、前記第一表紙と前記第二表紙との間に折り目や皺が発生することがない。従って、冊子カバーを折り曲げる力に対する反発力を考慮する必要は無い。
【００２１】
なお、第一表紙用カバーと第二表紙用カバーとが互いに分離していると、例えば、冊子に装着された表紙用カバーのみを持って当該表紙用カバーの開口部が下に位置するように向けたとき、表紙が当該表紙用カバーから離脱する方向と重力加速度の方向とが一致する。そのため、冊子の質量と重力加速度とにより発生する力が当該表紙用カバーとそれが装着された表紙との間の摩擦力を上回ると、冊子が落下する力を阻害するものが無ければ、冊子が落下して当該一方の表紙用カバーから離脱するおそれがある。しかしながら、本発明の冊子カバーでは、舌片が表紙用カバーを冊子に装着したときに綴じ具の内側に位置するので、冊子カバーが表紙から離脱するのを抑制することができる。
【００２２】
ここで、本発明の冊子カバーにおいて、前記舌片は、前記表紙用カバーの一側端から延出する延出部と、当該延出部に連設され当該延出部の延出方向とは異なる方向に屈曲するように延出する屈曲部とを有し、前記屈曲部は、前記表紙用カバーを前記冊子に装着したときに綴じ具の内側に位置し、前記冊子カバーを冊子から取り外す方向に移動させようとしたとき、前記綴じ具に当接して当該移動を阻害するように構成してもよい。屈曲部は、表紙用カバーを冊子に装着したときに綴じ具の内側に綴じ具と当接せずに位置するので、冊子カバー装着された表紙を容易に捲ることができる。また、屈曲部は、冊子カバーを冊子から取り外す方向に移動させようとしたとき、綴じ具に当接するので、冊子カバーの移動を阻害することができる。換言すると、冊子カバーが表紙から離脱するのを抑制することができる。
【００２３】
なお、前記舌片は可撓性を有することが好ましい。これにより、舌片を撓ませて、綴じ具の内側に位置する舌片を綴じ具から取り外すことができる。
【００２４】
また、本発明は、上述した冊子カバーが装着された冊子として特定することもできる。
【発明の効果】
【００２５】
本願発明によれば、冊子カバーの折り曲げに対する反発力が発生することや、重力などにより冊子が冊子カバーから離脱することを抑制する技術を提供することができる。
【図面の簡単な説明】
【００２６】
【図１】冊子カバーを冊子に装着した状態を示す斜視図。
【図２】冊子カバーを冊子に装着して開いた状態を示す斜視図。
【図３】冊子カバーを冊子に装着して冊子を閉じた状態を示す平面図。
【図４】冊子を閉じた状態から一方の表紙を３６０度捲った状態を示す平面図。
【図５】冊子を閉じた状態から両方の表紙をともに１８０度捲った状態を示す平面図。
【図６】冊子カバーを冊子から取り外す方向に移動させたときの舌片付近の拡大図。
【図７】舌片を撓ませた状態を示す拡大図。
【図８】冊子カバーを冊子に装着して冊子を閉じた状態で、ペンホルダにペンを装着した状態を示す図。
【図９】外側カバー片と固定片とが袋体を形成しない実施例の平面図。
【図１０Ａ】他の実施例における舌片の拡大図（１）。
【図１０Ｂ】他の実施例における舌片の拡大図（２）。
【図１０Ｃ】他の実施例における舌片の拡大図（３）。
【図１０Ｄ】他の実施例における舌片の拡大図（４）。
【図１０Ｅ】他の実施例における舌片の拡大図（５）。
【図１１】従来の冊子カバーを冊子に装着して折り曲げた状態を示す図。
【図１２】従来の冊子カバーが装着された冊子の表紙のみを持った状態を示す図。
【発明を実施するための形態】
【００２７】
（実施形態１）
本発明を図に基づいて説明する。なお、以下に説明する実施形態は本発明の例示であり、本発明は実施形態に限定されるものではない。
【００２８】
図１は、本実施形態の冊子カバーをリング状の綴じ具を用いて綴じ込まれた冊子の表紙に装着した状態を示している。同図に示すように、この冊子カバー２は、第一表紙用カバー５と第二表紙用カバー６とからなり、両者がそれぞれ第一表紙３、第二表紙４に装着される。なお、これ以降第一表紙３と第一表紙用カバー５との関係について説明するが、第二表紙４と第二表紙用カバー６との関係もこれと同様である。リング状の綴じ具には、一本の針金などの線材を折り曲げてコイルやバネのような連続輪体を形成したスパイラルリングや、連続輪体を二重に形成したダブルリングと呼ばれるリング状の綴じ具が例示される。
【００２９】
ここで、図２は、冊子カバーを冊子に装着して開いた状態を示す。図３は、本実施形態の冊子カバー２を冊子１に装着して冊子を閉じた状態であり、図４は、図３に示す状態から同図中最上面に位置していた第一表紙用カバー５を第１表紙２に装着した状態でこれらを３６０度捲って、第一表紙３と第二表紙４と用紙１２とが重合した状態であり、図５は、図３に示す状態から第一表紙用カバー５（第一表紙３）と第二表紙用カバー３（第二表紙５）とをともに１８０度捲って、第一表紙３と第二表紙４とが重合して用紙１２がこれらと重合しない状態を、それぞれ示している。
【００３０】
図２、図３等に示すように、第一表紙用カバー５は、平面視において長方形であり、冊子１を閉じた状態で外側に位置する外側カバー片７と冊子１を閉じた状態で内側（用紙１２側）に位置する固定片８とが接合されることで構成されている。固定片８の短辺は、外側カバー片７の短辺よりも短く形成されている。外側カバー片７と固定片８とは、一部を除いた箇所で接合されており、袋体を形成する。固定片８の綴じ具１１側の長辺は接合されておらず、この接合されていない箇所が袋体の開口部１０となる。第一表紙３を開口部１０から第一表紙用カバー５の袋体に向けて挿入することで外側カバー片７と第一表紙３
と固定片８との間に発生する摩擦力により、第一表紙３と第一表紙用カバー５との装着状態が維持される。
【００３１】
この摩擦力は、大きく設定されると第一表紙３を第一表紙用カバー５に挿入することが困難となるが、装着後において不意に両者が離脱することが少なくなる。一方、摩擦力が小さく設定されると第一表紙３を第一表紙用カバー５に挿入することが容易となるが、装着後において第一表紙用カバー５が第一表紙３から不意に離脱することが多くなる。
【００３２】
ここで、図１１（ａ）は、従来の第一表紙と第二表紙とをともに覆う一体の冊子カバー１６を冊子１７に装着して冊子を閉じた状態から、両方の表紙をともに１８０度捲った状態であり、図１１（ｂ）は、一方の表紙を３６０度捲った状態を示す図である。また、図１２は、図１１（ａ）に示す従来の冊子カバーの表紙用カバーのみを持って袋部の開口部を重力方向に向けた状態を示す図である。第一表紙用カバー１８が第一表紙２０から不意に離脱する場合とは、例えば、図１１、図１２に示すように、冊子１７に装着された第一表紙用カバー１８のみを持って第一表紙用カバー１８の開口部１９が下に位置するように向けたときが例示される。この場合、第一表紙２０が冊子カバー１６から離脱する方向と重力加速度の方向とが一致する。そのため、冊子１７の質量と重力加速度とにより発生する力が第一表紙２０と第一表紙用カバー１８との間の摩擦力を上回ると、冊子１７が落下して第一表紙用カバー１８から離脱する。
【００３３】
従って、実施形態に係る冊子カバー２において、第一表紙用カバー５の第一表紙３に対する挿抜性を良好に維持しながら第一表紙用カバー５が第一表紙３から不意に離脱することが少ない冊子カバーを提供する際には、挿入が困難でなく不意に離脱することが少ない好適な摩擦力を設定することが必要である。これは、冊子の材質や質量（冊子の厚さ）に大きく左右されるため、本実施形態の冊子カバーをあらゆる厚さの冊子に対応できるものとする場合、摩擦力の設定のみで良好な挿抜性を獲得することは困難である。そこで、本実施形態の第一表紙用カバー５は、舌片９を備える。
【００３４】
図２、図３等に示すように、第一表紙用カバー５の綴じ具１１側の長辺の両端部には、第一表紙用カバー５の上記長片から綴じ具１１側に延出し、この第一表紙用カバー５を冊子１に装着したときに綴じ具１１の内側に位置するように形成された舌片９が形成されている。より詳細には、舌片９は、第一表紙用カバー５の綴じ具１１側の長片の両端部から夫々綴じ具１１側に延出した延出部９１と、この延出部１１から更に延出した領域が綴じ具１１側に直角に屈曲することで形成された屈曲部９２とを含む。屈曲部９２の先端は、綴じ具１１の内側、より詳細には、綴じ具１１を構成する複数のリングのうち、端部に位置するリングの内側、かつ、この端部のリングと隣接するリングの間まで延出している。
【００３５】
図２、図３等に示すように、冊子カバー２を冊子１に装着した状態において、舌片９は綴じ具１１（端部に位置するリング）に当接せずにその内側に位置しており、この状態は、冊子を閉じた場合でも表紙を捲った場合でも維持される。つまり、本実施形態の冊子カバーが装着されていても、冊子を捲ることの操作性に影響を与えない。
【００３６】
図７は、第一表紙用カバー５を第１表紙２から取り外す方向に移動させたときの舌片９付近の拡大図である。
【００３７】
冊子カバー２を冊子１に装着した状態において、舌片９は綴じ具１１に当接せずにその内側に位置しているが、この状態から第一表紙用カバー５を第１表紙２から取り外す方向に移動させると、舌片９の屈曲部９２が綴じ具１１の内側（端部に位置するリングの内側）に当接する。その結果、これ以降の第一表紙用カバー５の移動が阻止される。つまり、外側カバー片７と第一表紙３と固定片８との間に発生する摩擦力にかかわらず、屈曲部９
２と綴じ具１１の内周とが前述した第一表紙用カバー５が第一表紙３から不意に離脱することを阻止することができる。
【００３８】
これにより、第一表紙用カバー５の第一表紙３に対する挿抜性を良好に維持しながら第一表紙用カバー５が第一表紙３から不意に離脱することが少ない冊子カバーを提供するに際し、摩擦力を小さめに設定することができる。
【００３９】
つまり、仮に、外側カバー片７と第一表紙３と固定片８との間に発生する摩擦力が小さく、かつ冊子１の質量が大きい場合でも、舌片９０と綴じ具１１の耐久力と前記摩擦力との合力とにより、第一表紙用カバー５が第一表紙３から不意に離脱することを阻止することができる。
【００４０】
図７は、第一表紙用カバー５を第一表紙３から取り外す直前の状態、または第一表紙用カバー５を第一表紙３に装着する直前の状態を示す、舌片９付近の拡大図である。
【００４１】
前述したように、冊子カバー２を冊子１に装着した状態から第一表紙用カバー５を第１表紙２から取り外す方向に移動させると舌片９の屈曲部９２が綴じ具１１の内側に当接してその移動が阻止される。そのため、綴じ具１１を変形させることなく第一表紙用カバー５を第一表紙３から取り外す際には、屈曲部９２に対しこれが綴じ具１１の内周を通ることを避ける動きを加える必要がある。
【００４２】
つまり、第一表紙用カバー５を第一表紙３に装着した状態において、屈曲部９２を綴じ具１１の内側から離脱する方向に変形せしめた後に、第一表紙用カバー５を第１表紙２から取り外す方向に移動させればよい。図７は、舌片９を撓ませた状態を示す拡大図。
【００４３】
これを実現するために、舌片９は可撓性を有していてもよいし、舌片９のうち屈曲部９２のみが可撓性を有していてもよいし、屈曲部９２と延出部９１とがヒンジを介して連設されていてもよいし、屈曲部９２と延出部９１と第一表紙用カバー５との境界がすべてヒンジにより形成されていてもよい。そして、これらの条件から、冊子カバー２の材質や厚さ、冊子１の材質や質量により好適なものが選択されることが好ましい。
【００４４】
なお、ヒンジについては図示しないが、第一表紙用カバー５を第１表紙２から取り外す方向に移動した際に舌片９０が綴じ具１１の内周に当接することを維持するため、ヒンジによる屈曲部９２の延出部９１に対する可動方向は、当該移動と舌片９０の変形とが連動しないものであることが必要である。
【００４５】
本実施形態の第一表紙用カバー５は、更にペンホルダ１３を備える。図８は、本発明の冊子カバー２を冊子１に装着して冊子を閉じた状態で、ペンホルダ１３、１４にペンを装着した状態を示す図である。
【００４６】
第一表紙用カバー５および前記第二表紙用カバー６は、それぞれ舌片９を有する一方の長辺と対向する他方の長片に筒状のペンホルダ１３、１４を有している。第一表紙用カバー５のペンホルダ１３と前記第二表紙用６カバーのペンホルダ１４は、第一表紙用カバー５と第二表紙用カバー６とをそれぞれ第一表紙３と第二表紙４とに装着したときに、何れかのペンホルダの図中下端が他のペンホルダの図中上端よりも上に位置するように配されている。
【００４７】
ペンホルダ１３、１４は何れも片を折り返すことで形成され、内部にペン１５を貫通させる貫通穴を有している。これにより、ペン１５を、図８において上側に位置するペンホルダ１３の図中上端から図中下端に向けて貫通させ、さらにペンホルダ１４の図中上端か
ら図中下端に向けて貫通させて、第一表紙用カバー５と前記第二表紙用カバー６とをペン１５により固定することができるため、冊子１が不意に開くことを防ぐこととペン１５を収納することとを同時に実行することができる。
【００４８】
以上説明した実施形態１の冊子カバー２では、表紙用カバー５、６が、第一表紙３、第二表紙４のそれぞれに装着される。換言すると、表紙用カバー５、６は互いに分離している。従って、冊子カバーと他の冊子カバーとの境界がそもそも存在せず、冊子カバー２に折り目や皺が発生することもない。また、折り曲げる力に対する反発力が発生することもない。また、冊子カバー２では、舌片９が表紙用カバー５、６を冊子２に装着したときに綴じ具１１の内側に位置し、冊子カバー５、６が第一表紙３、第二表紙４から離脱するのを抑制する。また、冊子カバー２は、第一表紙３、第二表紙４が汚損するのを抑制することができる。更に、冊子カバー２は、冊子カバー２が装着された冊子１の第一表紙３、第二表紙４や用紙１２をリング状の綴じ具１１の内周に沿って容易に回転させることができる。更に、冊子１が不意に開くことを防ぐこととペン１５を収納することとを同時に実行することができる。
【００４９】
（実施形態２）
図９（ａ）は、実施形態２の冊子カバーをリング状の綴じ具を用いて綴じ込まれた冊子の表紙に装着した状態を示している。また、図９（ｂ）は、実施形態２の変形例を示す。実施形態２は、冊子１の質量が小さい、すなわち外側カバー片７と第一表紙３と固定片８との間に発生する摩擦力を小さく設定することが可能である場合に採用される。
【００５０】
この場合において、第一表紙用カバー５が第一表紙３から不意に離脱することを防ぐためには、舌片９と綴じ具１１とで離脱する方向への移動の大半を阻止することができる。そのため、外側カバー片７と固定片８とが袋体を形成してこれらと第一表紙３とが当接する面積を増やして摩擦力を大きくする必要は無い。そこで、実施形態２では、図９（ａ）に示すように、固定片８は、細い帯状に形成されている。帯状の固定片８は、冊子の表紙の硬さなどに応じていくつ設けられてもよい。図９（ａ）に示す実施形態２では、帯状の固定片８が、２本設けられている。具体的には、帯状の固定片８は、外側カバー片７における角部のうち、綴じ具１１側の長辺と平行な他方の長辺の両端部に位置する二つの角部近傍に、帯の長手方向と外側カバー片７の長辺（綴じ具１１の反対側）とが所定の角度を成すように設けられている。所定の角度は、本実施形態では約４５度であるが、これに限定されるものではない。また、図９（ｂ）に示す実施形態２の変形例では、帯状の固定片８が１本設けられている。具体的には、帯状の固定片８は、外側カバー片７における上記他方の長辺から綴じ具１１側に所定の間隔をあけて、帯の長手方向と上記他方の長辺とが平行になるように設けられている。
【００５１】
実施形態２の冊子カバー２によれば、実施形態１の冊子カバー２の効果に加えて、固定片８の面積を大幅に小さいものにできるため、材料費を軽減することができる。
【００５２】
（実施形態３）
図１０Ａから図１０Ｅは、舌片９の形状に関する他の実施例を示す図である。舌片９は、第一表紙用カバー５の一側端から延出する延出部９１と、これに連設されて当該延出部の延出方向とは異なる方向に屈曲するように延出する屈曲部９２とを有していればよく、その形状や数はどのようなものでもよい。
【００５３】
舌片９は、その数が少なければ、挿抜性は高いが、大きい質量の冊子に対して離脱防止の機能を果たせないばかりか、冊子の移動により受ける大きい力が綴じ具１１の少ない箇所に集中して綴じ具に大きな負担を与える。一方、舌片９は、その数が多ければ、挿抜性は低いものの、大きい質量の冊子に対して離脱防止の機能を担保することができる。これ
らの条件から、冊子カバー２の材質や厚さ、冊子１の材質や質量により好適なものが選択されることが好ましい。
【００５４】
図１０Ａに示す舌片９ａは、第一延出部９１ａ、第一屈曲部９２ａ、第二延出部９３ａ、第一屈曲部９４ａによって構成されている。第一延出部９１ａは、第一表紙用カバー５の綴じ具１１側の長片の両端部から夫々綴じ具１１側に延出している。第一屈曲部９２ａは、第一延出部９１ａから更に延出した領域が綴じ具１１側に直角に屈曲することで形成されている。第一延出部９１ａと第二延出部９３ａとは、綴じ具１１の一つのリングを跨ぐように、リング１つ分の幅よりも広い間隔をあけて配置されている。第二延出部９３ａは、第一表紙用カバー５の綴じ具１１側の長片の両端部の近傍から夫々綴じ具１１側に延出している。第二屈曲部９４ａは、第二延出部９３ａから更に延出された領域が第一屈曲部９２ａ側に直角に屈曲することで形成されている。第二屈曲部９２ａと第二屈曲部９４ａとの先端同士の間は、分断されている。これにより、舌片９ａは、綴じ具１１から取り外し自在である。図１０Ａに示す舌片９ａは、綴じ具１１のリングを第一延出部９１及び第二延出部９３ａで挟み込む構成であり、実施形態１の舌片９よりも、冊子カバー２が冊子２から離脱し難くなる。
【００５５】
図１０Ｂに示す舌片９ｂは、第一延出部９１ｂ、第一屈曲部９２ｂ、第二延出部９３ｂ、第一屈曲部９４ｂによって構成されている。図１０Ｂに示す舌片９ｂは、図１０Ａに示す舌片９ａと異なり、第一延出部９１ｂと第二延出部９３ｂとが、綴じ具１１の二つのリングを跨ぐように、リング二つ分の幅よりも広い間隔をあけて配置されている。また、このような舌片９ｂが第一表紙カバー５の綴じ具１１側の長辺に沿って連続して複数設けられている。図１０Ｂに示す舌片９ｂは、綴じ具１１のリングを第一延出部９１及び第二延出部９３ａで挟み込む構成であり、更に、このような舌片９ｂが複数連設していることから、図１０Ａに示す舌片９ａよりも、冊子カバー２が冊子２から離脱し難くなる。
【００５６】
図１０Ｃに示す舌片９ｃは、第一延出部９１ｃ、第一屈曲部９２ｃ、第二延出部９３ｃ、第一屈曲部９４ｃによって構成されている。図１０ｃに示す舌片９ｃは、図１０ｂに示す舌片９ｂと異なり、第一屈曲部９２ｃ及び第二屈曲部９４ｃがそれぞれ第一延出部９１及び第一屈曲部９２ｃから二方向に屈曲するように延出することで形成されている。換言すると、各舌片９ｃがＴ字状である。なお、第一延出部９１ｃと第二延出部９３ｃとが、綴じ具１１の二つのリングを跨ぐように、リング二つ分の幅よりも広い間隔あけて配置されている点は、図１０ｂに示す舌片９ｂと同じである。そして、このような舌片９ｃが第一表紙カバー５の綴じ具１１側の長辺に沿って連続して複数設けられている。図１０Ｃに示す舌片９ｃは、綴じ具１１のリングを第一延出部９１及び第二延出部９３ａで挟み込む構成であり、更に、このような舌片９ｂが複数連設している。また、図１０Ｃに示す舌片９ｃは、全てのリングが何れかの舌片９ｃに挟み込まれている（図１０Ｂに示す舌片９ｂは、二つのリングおきに舌片９ｂによって挟み込まれないリングが存在する）ことから、図１０Ｂに示す舌片９ａよりも、冊子カバー２が冊子２から離脱し難くなる。
【００５７】
図１０Ｄに示す舌片９ｄは、第一延出部９１ｄ、第一屈曲部９２ｄによって構成されている。図１０ｄに示す舌片９ｄは、実施形態１の舌片９と異なり、第一屈曲部９２ｄの先端が第一表紙用カバー５側に更に屈曲することで形成されている。これにより、実施形態１の舌片９よりも、冊子カバー２が冊子２から離脱し難くなる。
【００５８】
図１０Ｅに示す舌片９ｅは、第一延出部９１ｅ、第一屈曲部９２ｅによって構成されている。図１０ｅに示す舌片９ｅは、図１０Ｃに示す舌片９ｃと同じく、Ｔ字状である。但し、図１０ｅに示す舌片９ｅは、図１０Ｃに示す舌片９ｃと異なり、第一表紙用カバー５の綴じ具１１側の長辺の両端部近傍にのみ設けられている。図１０Ｅに示す舌片９ｅは、一つの舌片９ｅが少なくとも二つのリングに当接できるので、実施形態１の舌片９よりも
、冊子カバー２が冊子２から離脱し難くなる。
【００５９】
なお、上記した種々の内容は、本発明の技術的思想を逸脱しない範囲に於いて可能な限り組み合わせることができる。
【符号の説明】
【００６０】
１  冊子
２  冊子カバー
３  第一表紙
４  第二表紙
５  第一表紙用カバー
６  第二表紙用カバー
７  外側カバー片
８  固定片
９  舌片    ９１  延出部    ９２  屈曲部
１０  開口部
１１  綴じ具
１２  用紙
１３、１４  ペンホルダ
１５  ペン
１６  従来の冊子カバー
１７  従来の冊子カバー
【図１】
0005823236.tif 000002
【図２】
0005823236.tif 000003
【図３】
0005823236.tif 000004
【図４】
0005823236.tif 000005
【図５】
0005823236.tif 000006
【図６】
0005823236.tif 000007
【図７】
0005823236.tif 000008
【図８】
0005823236.tif 000009
【図９】
0005823236.tif 000010
【図１０Ａ】
0005823236.tif 000011
【図１０Ｂ】
0005823236.tif 000012
【図１０Ｃ】
0005823236.tif 000013
【図１０Ｄ】
0005823236.tif 000014
【図１０Ｅ】
0005823236.tif 000015
【図１１】
0005823236.tif 000016
【図１２】
0005823236.tif 000017